(57)【要約】【課題】本体電気接点とメモリ電気接点との摩耗を抑制することができる画像形成装置を提供すること。【解決手段】  画像形成装置１は、メモリ電気接点４２を有し、本体ケーシング７の開口７Ａを介して本体ケーシング７の着脱可能な現像カートリッジと、本体電気接点４８を有し、開口７Ａを開閉するカバー８に支持されるコネクタとを備える。コネクタは、現像カートリッジが感光ドラムに対して移動するときに、カバー８に対して移動可能である。また、コネクタは、本体電気接点４８が設けられる第１部分４５と、第１部分４５との間で現像カートリッジの一部を挟む第２部分４６とを備える。第２部分４６は、現像カートリッジと係合する第１係合部６２を備える。現像カートリッジは、本体電気接点４８とメモリ電気接点４２とを近づける方向へ付勢力を発生させる付勢部材３３を備える。【選択図】図１１
2017181886.tif 000002
【特許請求の範囲】
【請求項１】
開口を有する本体ケーシングと、
前記開口を開放する開位置と、前記開口を閉鎖する閉位置との間を移動可能なカバーと、
感光ドラムと、
現像ローラと、メモリ電気接点を有する記憶媒体とを備え、前記開口を介して前記本体ケーシングに着脱可能な現像カートリッジと、
前記現像カートリッジが前記本体ケーシングに装着されているときに、前記現像ローラが前記感光ドラムに接触する接触位置と、前記現像ローラが前記感光ドラムから離間する離間位置との間で、前記現像カートリッジを移動させるように構成される離間部材と、
前記カバーに支持されるコネクタであって、前記現像カートリッジが前記本体ケーシングに装着され、かつ、前記カバーが前記閉位置に位置するときに、前記カバーが前記開位置から前記閉位置へ移動する移動方向と交差する交差方向において、前記メモリ電気接点と電気的に接続する本体電気接点を備えるコネクタであって、前記現像カートリッジが前記前記離間部材により前記接触位置と前記離間位置との間で移動するときに、前記カバーに対して移動するように構成されるコネクタと、
を備え、
前記コネクタは、
前記本体電気接点が設けられる第１部分と、
前記現像カートリッジが前記本体ケーシングに装着され、かつ、前記カバーが前記閉位置に位置するときに、前記交差方向において前記第１部分との間で前記現像カートリッジの一部を挟むように設けられる第２部分であって、前記現像カートリッジが前記本体ケーシングに装着され、かつ、前記カバーが前記閉位置に位置するときに、前記現像カートリッジと係合する第１係合部を有する第２部分と、を備え、
前記現像カートリッジは、前記現像カートリッジが前記本体ケーシングに装着され、かつ、前記カバーが前記閉位置に位置するときに、前記交差方向において、前記本体電気接点と前記メモリ電気接点とを近づける方向に付勢力を発生させる付勢部材を備える
ことを特徴とする、画像形成装置。
【請求項２】
前記コネクタの前記第２部分は、前記現像カートリッジが前記本体ケーシングに装着され、かつ、前記カバーが前記閉位置に位置するときに、前記付勢部材からの前記付勢力を受けることを特徴とする、請求項１に記載の画像形成装置。
【請求項３】
前記コネクタは、前記第１部分と前記第２部分とを連結し、前記交差方向に延びる第３部分であって、前記現像カートリッジが前記本体ケーシングに装着され、かつ、前記カバーが前記閉位置に位置するときに、前記移動方向において前記現像カートリッジに向かい合う第３部分を備えることを特徴とする、請求項２に記載の画像形成装置。
【請求項４】
前記コネクタを前記移動方向に押圧する押圧部材を備え、
前記現像カートリッジが前記本体ケーシングに装着され、かつ、前記カバーが前記閉位置に位置するときに、前記押圧部材によって前記コネクタが押圧されているときに、前記第３部分は、前記移動方向において前記現像カートリッジに当接することを特徴とする、請求項３に記載の画像形成装置。
【請求項５】
前記現像カートリッジは、前記現像カートリッジが前記本体ケーシングに装着され、かつ、前記カバーが前記閉位置に位置するときに、前記付勢部材によって付勢され、前記第１係合部に係合する第２係合部を備えることを特徴とする、請求項２〜４のいずれか一項に記載の画像形成装置。
【請求項６】
前記第１係合部は、第１傾斜面を有し、
前記第１傾斜面は、前記移動方向下流側の一端と、前記移動方向上流側の他端と、を有し、
前記移動方向における前記第１傾斜面の一端と前記第１部分との距離は、前記移動方向における前記第１傾斜面の他端と前記第１部分との距離よりも小さく、
前記第２係合部は、第２傾斜面を有し、
前記第２傾斜面は、前記移動方向下流側の一端と、前記移動方向上流側の他端と、を有し、
前記現像カートリッジが前記本体ケーシングに装着され、かつ、前記カバーが前記閉位置に位置するときの前記移動方向における前記第２傾斜面の一端と前記第１部分との距離は、前記現像カートリッジが前記本体ケーシングに装着され、かつ、前記カバーが前記閉位置に位置するときの前記移動方向における前記第１傾斜面の他端と前記第１部分との距離よりも小さいことを特徴とする、請求項５に記載の画像形成装置。
【請求項７】
前記コネクタの前記第１部分は、突部を有し、
前記現像カートリッジは、前記現像カートリッジが前記本体ケーシングに装着され、かつ、前記カバーが前記閉位置に位置するときに、前記突部が嵌まる凹部を有することを特徴とする、請求項２〜６のいずれか一項に記載の画像形成装置。
【請求項８】
前記本体電気接点は、前記突部と同じ方向に突出することを特徴とする、請求項７に記載の画像形成装置。
【請求項９】
前記交差方向における前記突部の長さは、前記交差方向における前記本体電気接点が前記第１部分から突出した長さよりも長いことを特徴とする、請求項８に記載の画像形成装置。
【請求項１０】
前記凹部は、前記移動方向において、前記メモリ電気接点よりも下流側に位置することを特徴とする、請求項７〜９のいずれか一項に記載の画像形成装置。
【請求項１１】
前記カバーに支持され、前記コネクタを支持するホルダを備え、
前記ホルダは、前記コネクタが移動する方向に延びる長穴を有し、
前記コネクタは、前記長穴に嵌まるボスを有することを特徴とする、請求項１〜１０のいずれか一項に記載の画像形成装置。
【請求項１２】
前記現像カートリッジは、トナーを収容する筐体と、前記筐体に対して揺動可能な揺動部材を備え、
前記付勢部材は、前記揺動部材を前記第１係合部に向かって付勢することを特徴とする、請求項１〜１１のいずれか一項に記載の画像形成装置。
【発明の詳細な説明】
【技術分野】
【０００１】
本発明は、画像形成装置に関する。
【背景技術】
【０００２】
従来、ドラムカートリッジと、ドラムカートリッジに装着可能な現像カートリッジとを備える画像形成装置が知られている（下記特許文献１参照。）。
【０００３】
ドラムカートリッジは、感光ドラムを備える。現像カートリッジは、現像ローラを備える。現像カートリッジは、ドラムカートリッジに設けられるレバーにより、第１位置と第２位置との間で移動される。第１位置は、現像ローラと感光ドラムとが接触する位置である。第２位置は、現像ローラと感光ドラムとが離れる位置である。
【先行技術文献】
【特許文献】
【０００４】
【特許文献１】特開２０１３−０５４０５８号公報
【発明の概要】
【発明が解決しようとする課題】
【０００５】
特許文献１のような画像形成装置の現像カートリッジにＩＣチップ等の記憶媒体を搭載し、記憶媒体のメモリ電気接点に、画像形成装置の本体電気接点を接触させることが検討される。
【０００６】
しかし、現像カートリッジが移動するときに本体電気接点が移動しないと、メモリ電気接点と本体電気接点とが摩耗するおそれがある。
【０００７】
そこで、本開示の目的は、本体電気接点とメモリ電気接点との摩耗を抑制することができる画像形成装置を提供することにある。
【課題を解決するための手段】
【０００８】
本発明の画像形成装置は、開口を有する本体ケーシングと、開口を開放する開放位置と開口を閉鎖する閉位置との間を移動可能なカバーと、感光ドラムと、開口を介して本体ケーシングに着脱可能な現像カートリッジと、離間部材と、カバーに支持されるコネクタとを備える。
【０００９】
現像カートリッジは、現像ローラと、メモリ電気接点を有する記憶媒体を備える。離間部材は、現像カートリッジが本体ケーシングに装着されているときに、現像ローラが感光ドラムに接触する接触位置と、現像ローラが感光ドラムから離間する離間位置との間で、現像カートリッジを移動させるように構成される。
【００１０】
コネクタは、現像カートリッジが本体ケーシングに装着され、かつ、カバーが閉位置に位置するときに、メモリ電気接点と電気的に接続する本体電気接点を備える。現像カートリッジが接触位置と離間位置との間で移動するときに、カバーに対して移動するように構成される。
【００１１】
本体電気接点は、現像カートリッジが本体ケーシングに装着され、かつ、カバーが閉位置に位置するときに、カバーが開位置から閉位置へ移動する移動方向と交差する交差方向において、メモリ電気接点に接続される。
【００１２】
コネクタは、本体電気接点が設けられる第１部分と、第１係合部を有する第２部分を備える。第２部分は、現像カートリッジが本体ケーシングに装着され、かつ、カバーが閉位置に位置するときに、交差方向において第１部分との間で現像カートリッジを挟むように設けられる。第１係合部は、現像カートリッジが本体ケーシングに装着され、かつ、カバーが閉位置に位置するときに、現像カートリッジと係合する。
【００１３】
現像カートリッジは、付勢部材を備える。付勢部材は、現像カートリッジが本体ケーシングに装着され、かつ、カバーが閉位置に位置するときに、交差方向において、本体電気接点とメモリ電気接点とを近づける方向に付勢力を発生させる。
【００１４】
このような構成によれば、コネクタは、カバーが閉位置に位置している状態で、付勢部材により、常に、本体電気接点とメモリ電気接点とが接触する方向に付勢される。そのため、カートリッジと第１係合部とを、付勢部材の付勢力によって確実に係合させるとともに、本体電気接点とメモリ電気接点とを確実に接触させることができる。その結果、本体電気接点がメモリ電気接点に電気的に接続された状態で、コネクタをカートリッジとともに移動させることができ、本体電気接点とメモリ電気接点との摩耗を抑制することができる。
【発明の効果】
【００１５】
本発明の画像形成装置は、本体電気接点とメモリ電気接点との摩耗を抑制することができる。
【図面の簡単な説明】
【００１６】
【図１】図１は、本発明の画像形成装置の一実施形態を示す概略構成図である。
【図２】図２は、図１に示す現像カートリッジの斜視図である。
【図３】図３は、図２に示す現像カートリッジを別の方向から見た斜視図である。
【図４】図４は、図３に示す揺動部材を説明するための説明図である。
【図５】図５は、図２に示す現像カートリッジおよびドラムカートリッジの斜視図である。
【図６】図６は、図１に示すカバーの斜視図である。
【図７】図７Ａは、図６に示すコネクタの斜視図である。図７Ｂは、図７Ａに示すコネクタを別の方向から見た斜視図である。
【図８】図８は、コネクタの移動を説明するための説明図である。
【図９】図９は、図８に続き、コネクタの移動を説明するための説明図である。
【図１０】図１０は、図９に続き、コネクタの移動を説明するための説明図である。
【図１１】図１１は、図１０に続き、コネクタの移動を説明するための説明図である。
【図１２】図１２は、現像カートリッジの接離動作を説明するための説明図であって、押圧部材が押圧解除位置に位置し、現像ローラと感光ドラムとが接触した状態を示す。
【図１３】図１３は、現像カートリッジの接離動作を説明するための説明図であって、押圧部材が押圧解除位置に位置し、現像ローラと感光ドラムとが離間した状態を示す。
【図１４】図１４Ａは、付勢部材の変形例を説明するための説明図である。図１４Ｂは、図１４Ａに示すギアカバーの断面図である。
【発明を実施するための形態】
【００１７】
１．画像形成装置の概略
図１に示すように、画像形成装置１は、画像形成部１００へ用紙を供給する給紙部２００と、給紙部２００から供給された用紙上に画像を形成する画像形成部１００と、画像形成部で画像が形成された用紙を排出する排紙部３００と、開口７Ａを有するとともに画像形成部１００を収容する本体ケーシング７と、開口７Ａを開閉するカバー８と、を備える。
【００１８】
カバー８は、開口７Ａを開放する開位置と、開口７Ａを閉鎖する閉位置との間を移動可能である。カバー８は、本体ケーシング７に回動可能に支持される一端部８Ａと、他端部８Ｂと、を有する。カバー８が閉位置に位置するときの一端部８Ａから他端部８Ｂへ向かう方向を所定方向と定義する。なお、開口７Ａは、本体ケーシング７の上方に形成されている。
【００１９】
画像形成部１００は、複数の現像カートリッジ２Ｋ，２Ｙ，２Ｍ，２Ｃと、複数の感光ドラム６Ｋ，６Ｙ，６Ｍ，６Ｃと、を備える。すなわち、画像形成装置１は、複数の現像カートリッジ２Ｋ，２Ｙ，２Ｍ，２Ｃと、複数の感光ドラム６Ｋ，６Ｙ，６Ｍ，６Ｃと、を備える。
【００２０】
複数の現像カートリッジ２Ｋ，２Ｙ，２Ｍ，２Ｃは、それぞれ、収容される現像剤の色が異なる以外、同じ構造を有する。そこで、以下の説明において、現像カートリッジ２Ｋの構造について詳細に説明し、現像カートリッジ２Ｙ、２Ｍ，２Ｃについて、現像カートリッジ２Ｋと同じ構造についての説明を省略する。現像カートリッジ２Ｋは、筐体４と、現像ローラ５とを備える。筐体４は、トナーを収容可能である。筐体４は、中空の角筒形状を有する。現像ローラ５は、軸方向に延びる軸について回転可能である。軸方向は、所定方向と直交する。現像ローラ５は、筐体４の一端部に位置する。現像ローラ５は、円柱形状を有する。現像ローラ５の周面の一部は、筐体４の外側に露出している。
【００２１】
複数の感光ドラム６Ｋ，６Ｙ，６Ｍ，６Ｃは、対応する現像カートリッジ２Ｋ，２Ｙ，２Ｍ，２Ｃが異なる以外、同じ構造を有する。そこで、以下の説明において、感光ドラム６Ｋの構造について詳細に説明し、感光ドラム６Ｙ，６Ｍ，６Ｃについて、感光ドラム６Ｋと同じ構造についての説明を省略する。感光ドラム６Ｋは、軸方向に延びる軸について回転可能である。感光ドラム６Ｋは、ドラムカートリッジ３Ｋに設けられている。ドラムカートリッジ３Ｋには、現像カートリッジ２Ｋが装着可能である。感光ドラム６Ｋには、現像カートリッジ２Ｋがドラムカートリッジ３Ｋに装着されたときに、現像カートリッジ２Ｋの現像ローラ５が接触する。
【００２２】
現像カートリッジ２Ｋとドラムカートリッジ３Ｋは、カバー８が開位置に位置するときに、開口７Ａを介して、本体ケーシング７に着脱可能である。
【００２３】
２．現像カートリッジの詳細
図２、図３および図４に示すように、現像カートリッジ２Ｋは、さらに、カップリング１２と、ギアカバー１３と、記憶媒体４１と、揺動部材３２と、付勢部材３３とを備える。
【００２４】
２．１  カップリング
図２および図３に示すように、カップリング１２は、軸方向において、筐体４の側面に位置する。カップリング１２は、中央部が軸方向に凹となる円柱形状である。カップリング１２は、軸方向に延びる軸について回転可能である。カップリング１２は、現像カートリッジ２Ｋが本体ケーシング７に装着されたときに、本体ケーシング７の駆動源から駆動力を受ける。カップリング１２が受けた駆動力は、図示しないギア列を介して、現像ローラ５に伝達される。これにより、現像ローラ５が回転する。
【００２５】
２．２  ギアカバー
ギアカバー１３は、軸方向において、筐体４の側面に取り付けられる。ギアカバー１３は、カップリング１２の側面およびカップリング１２から現像ローラ５へ駆動力を伝達するギア列を被覆する。なお、カップリング１２の軸方向端部は、ギアカバー１３から露出する。ギアカバー１３は、カバー８が開位置から閉位置へ移動する移動方向において、一端部と、他端部とを有する。なお、移動方向は、軸方向と直交し、所定方向と交差する。他端部は、移動方向において、一端部よりも現像ローラ５から遠くに位置する。他端部は、移動方向と交差する交差方向において、第１外面１３Ａと、第２外面１３Ｂとを有する。なお、詳しくは、交差方向は、移動方向と直交する。第２外面１３Ｂは、交差方向において、第１外面１３Ａの反対側に位置する。第１外面１３Ａと第２外面１３Ｂとは、移動方向に延びる。また、他端部は、移動方向において、第３外面１３Ｃを有する。第３外面１３Ｃは、交差方向において、第１外面１３Ａと第２外面１３Ｂとの間に位置する。第３外面１３Ｃは、交差方向に延びる。
【００２６】
また、ギアカバー１３は、開口１３Ｄと、凹部１３Ｅとを有する。開口１３Ｄは、第２外面１３Ｂに位置する。開口１３Ｄは、第２外面１３Ｂを交差方向に貫通する。凹部１３Ｅは、第１外面１３Ａに位置する。凹部１３Ｅは、移動方向において、記憶媒体４１よりも現像ローラ５の近くに位置する。凹部１３Ｅは、交差方向において、第１外面１３Ａから第２外面１３Ｂに向かって凹む。凹部１３Ｅは、後述する２つの突部６０（図７Ａ参照）を受け容れ可能である。すなわち、現像カートリッジ２Ｋは、現像カートリッジ２Ｋが本体ケーシング７に装着され、かつ、カバー８が閉位置に位置するときに、後述する突部６０が嵌まる凹部１３Ｅを有する。凹部１３Ｅは、移動方向において後述するメモリ電気接点４２よりも下流側に位置する。
【００２７】
３．３  記憶媒体４１
記憶媒体４１は、ＩＣチップである。記憶媒体４１は、その表面にメモリ電気接点４２を有する。記憶媒体４１は、ギアカバー１３の第１外面１３Ａに位置する。記憶媒体４１は、移動方向において、ギアカバー１３の第３外面１３Ｃよりも現像ローラ５の近くに位置する。記憶媒体４１は、移動方向において、カップリング１２に対して現像ローラ５の反対側に位置する。すなわち、カップリング１２は、現像ローラ５と記憶媒体４１との間に位置する。記憶媒体４１は、移動方向に延びる。記憶媒体４１は、現像カートリッジ２Ｋに関する情報を記憶する。現像カートリッジ２Ｋに関する情報は、例えば、現像カートリッジ２Ｋが収容する現像剤の色に関する情報、現像カートリッジ２Ｋが新品であるから旧品であるかに関する情報、現像カートリッジ２Ｋが印刷可能な用紙の枚数に関する情報などである。より具体的には、現像カートリッジ２Ｋが新品である場合、集積回路は、現像カートリッジ２Ｋがブラックの現像剤を収容しているという情報、現像カートリッジ２Ｋが新品であるという情報、および、現像カートリッジ２Ｋが印刷可能な用紙の枚数が、６０００枚であるという情報を記憶している。
【００２８】
２．４  揺動部材
図３および図４に示すように、揺動部材３２は、移動方向に延びる。揺動部材３２は、移動方向において、一端部と、一端部に対して離れて位置する他端部とを有する。揺動部材３２は、回転軸３４と、第２係合部３５とを備える。
【００２９】
回転軸３４は、揺動部材３２の一端部に位置する。回転軸３４は、ギアカバー１３に回転可能に支持される。これにより、揺動部材３２は、筐体４に対して揺動可能である。
【００３０】
第２係合部３５は、コネクタ４３Ｋの第１係合部６２（図７Ａ参照）と係合可能な係合部である。第２係合部３５は、揺動部材３２の他端部に位置する。すなわち、第２係合部３５は、カバー８が開位置から閉位置へ移動する移動方向において、揺動部材３２の上流側の端部に位置する。第２係合部３５は、ギアカバー１３の開口１３Ｄから露出する。第２係合部３５は、交差方向において、開口１３Ｄから突出する。第２係合部３５は、第２傾斜面３５Ａを有する。第２傾斜面３５Ａは、交差方向において、第２係合部３５が突出する方向へ向かうにつれて、現像ローラ５から遠ざかるように傾斜する。
【００３１】
２．５  付勢部材
付勢部材３３は、現像カートリッジ２Ｋが本体ケーシング７に装着され、かつ、カバー８が閉位置に位置するときに、交差方向において、後述する本体電気接点とメモリ電気接点とを近づける方向に付勢力を発生させる。
【００３２】
付勢部材３３は、ギアカバー１３に支持される。付勢部材３３は、コイルばねである。付勢部材３３は、回転軸３４の周りに位置する。付勢部材３３は、一端がギアカバー１３に当接し、他端が揺動部材３２に当接する。これにより、付勢部材３３は、交差方向において、揺動部材３２を、第２係合部３５が突出する方向へ付勢する。これにより、付勢部材３３は、第２係合部３５を、後述する第１係合部６２へ向かって付勢可能である。
【００３３】
すなわち、現像カートリッジ２Ｋは、現像カートリッジ２Ｋが本体ケーシング７に装着され、かつ、カバー８が閉位置に位置するときに、付勢部材３３によって、付勢され、後述する第１係合部に係合する第２係合部を備える。
【００３４】
３．離間部材
図５に示すように、ドラムカートリッジ３Ｋは、さらに、離間部材３１を備える。すなわち、画像形成装置１は、離間部材３１を備える。
【００３５】
離間部材３１は、現像カートリッジ２Ｋを、現像ローラ５が感光ドラム６Ｋに接触する接触位置（図１２参照）と、前記現像ローラが前記感光ドラムから離間する離間位置（図１３参照）との間で、移動させるように構成される。離間部材３１は、軸方向において、ドラムカートリッジ３Ｋの側面に位置する。離間部材３１は、ドラムカートリッジ３Ｋに回転可能に支持される。離間部材３１は、現像カートリッジ２Ｋがドラムカートリッジ３Ｋに装着されたときに、現像カートリッジ２Ｋのギアカバー１３に向かい合う。離間部材３１は、本体ケーシング７に設けられる駆動源からの駆動力により回転し、現像カートリッジ２Ｋのギアカバー１３を、現像ローラ５が感光ドラム６Ｋから離間する方向へ押圧する。
【００３６】
これにより、現像カートリッジ２Ｋは、離間部材３１に押圧されることにより、接触位置（図１２参照）から離間位置（図１３参照）へ移動される。また、現像カートリッジ２Ｋは、離間部材３１からの押圧が解除されることにより、離間位置（図１３参照）から接触位置（図１２参照）へ移動される。接触位置は、現像ローラ５と感光ドラム６Ｋとが接触する位置である。離間位置は、現像ローラ５と感光ドラム６Ｋとが離間する位置である。
【００３７】
４．画像形成装置の詳細
画像形成装置１は、図６に示すように、さらに、コネクタ４３Ｋ，４３Ｙ，４３Ｍ，４３Ｃと、ホルダ４４Ｋ，４４Ｙ，４４Ｍ，４４Ｃと、押圧部材６１Ｋ，６１Ｙ，６１Ｍ，６１Ｃ（図８参照）とを備える。
【００３８】
４．１  コネクタ
コネクタ４３Ｋ，４３Ｙ，４３Ｍ，４３Ｃは、それぞれ、接続される現像カートリッジが異なる以外、同じ構造を有する。そこで、以下の説明において、コネクタ４３Ｋの構造について詳細に説明し、コネクタ４３Ｙ，４３Ｍ，４３Ｃについて、コネクタ４３Ｋと同じ構造についての説明を省略する。コネクタ４３Ｋは、現像カートリッジ２Ｋが本体ケーシング７に装着され、かつ、カバー８が閉位置に位置するときに、カバーが開位置から閉位置へ移動する移動方向と交差する交差方向において、メモリ電気接点４２とを電気的に接続する本体電気接点４８（図７Ａ参照）を備える。また、コネクタ４３Ｋは、現像カートリッジ２Ｋが離間部材３１により接触位置と離間位置との間で移動するときに、カバー８に対して移動するように構成される。
【００３９】
コネクタ４３Ｋは、図７Ａおよび図７Ｂに示すように、第１部分４５、第２部分４６、第３部分４７、本体電気接点４８、および、複数のボス４９を備える。
【００４０】
第１部分４５および第２部分４６は、交差方向において、互いに間隔を隔てて位置する。第１部分４５および第２部分４６は、移動方向に延びる。従って、第２部分４６は、現像カートリッジ２Ｋが本体ケーシング７に装着され、かつ、カバー８が閉位置に位置するときに、交差方向において第１部分４５との間で現像カートリッジ２Ｋの一部を挟むように設けられる。第３部分４７は、第１部分４５と第２部分４６とを連結する。第３部分４７は、交差方向に延びる。第３部分４７は、第１部分４５および第２部分４６に連続する。第１部分４５は、交差方向において、第２部分４６に向かい合う第１面４５Ａを有する。第２部分４６は、交差方向において、第１部分４５に向かい合う第２面４６Ａを有する。第２面４６Ａは、交差方向において、第１面４５Ａと間隔を隔てて位置する。第３部分４７は、交差方向に延びる第３面４７Ａを有する。第３面４７Ａは、交差方向において、第１面４５Ａと第２面４６Ａとの間に位置する。第１部分４５の第１面４５Ａは、現像カートリッジ２Ｋが本体ケーシング７に沿って装着され、かつ、カバー８が閉位置に位置したときに、交差方向において、現像カートリッジ２Ｋのギアカバー１３の第１外面１３Ａ（図２参照）に向かい合う。第２部分４６の第２面４６Ａは、現像カートリッジ２Ｋが本体ケーシング７に沿って装着され、かつ、カバー８が閉位置に位置したときに、交差方向において、ギアカバー１３の第２外面１３Ｂ（図３参照）に向かい合う。第３部分４７の第３面４７Ａは、現像カートリッジ２Ｋが本体ケーシング７に沿って装着され、かつ、カバー８が閉位置に位置したときに、移動方向において、ギアカバー１３の第３外面１３Ｃ（図３参照）に向かい合う。これにより、第３部分４７の第３面４７Ａは、現像カートリッジ２Ｋが本体ケーシング７に沿って装着され、かつ、カバー８が閉位置に位置し、後述する押圧部材６１Ｋによってコネクタ４３Ｋが押圧されているときに、移動方向において、ギアカバー１３の第３外面１３Ｃに当接する。
【００４１】
４．１．１  第１部分の詳細
第１部分４５は、２つのリブ６６と、２つの突部６０とを有する。
【００４２】
２つのリブ６６は、軸方向において、互いに間隔を隔てている。２つのリブ６６の間には、本体電気接点４８が、位置する。２つのリブ６６は、それぞれ、交差方向において、第１面４５Ａから突出する。２つのリブ６６は、それぞれ、移動方向に延びる。
【００４３】
２つの突部６０は、第１面４５Ａに位置する。２つの突部６０は、移動方向において、本体電気接点４８に対して、第３部分４７の反対側に位置する。２つの突部６０は、移動方向において、第１部分４５の端部に位置する。２つの突部６０は、軸方向において、互いに間隔を隔てて位置する。軸方向において、２つのリブ６６は、２つの突部６０の間に位置する。２つの突部６０は、それぞれ、交差方向において、第１面４５Ａから第２部分４６へ向かって突出する。２つの突部６０は、それぞれ、交差方向において、本体電気接点４８よりも突出する。すなわち、２つの突部６０のそれぞれの突出長さは、本体電気接点４８の突出長さよりも長い。言い換えると、交差方向における突部６０の長さは、交差方向における本体電気接点４８が第１部分４５の第１面４５Ａから突出する長さよりも長い。２つの突部６０は、現像カートリッジ２Ｋが本体ケーシング７に装着され、かつ、カバー８が閉位置に位置したときに、現像カートリッジ２Ｋのギアカバー１３の凹部１３Ｅ（図２参照）に嵌まる。
【００４４】
４．１．２  第２部分４６の詳細
第２部分４６は、第１係合部６２を有する。
【００４５】
第１係合部６２は、現像カートリッジ２Ｋが本体ケーシング７に装着され、かつ、カバー８が閉位置に位置するときに、現像カートリッジ２Ｋの第２係合部３５（図３参照）に係合する。第１係合部６２は、第２面４６Ａに位置する。第１係合部６２は、凹部である。第１係合部６２は、交差方向において、第１面４５Ａから離れる方向に凹む。第１係合部６２は、第１傾斜面６２Ａを有する。第１傾斜面６２Ａは、第２係合部３５を介して、付勢部材３３の付勢力を受ける面である。すなわち、第２部分４６は、現像カートリッジ２Ｋが本体ケーシング７に装着され、かつ、カバー８が閉位置に位置するときに、付勢部材３３からの付勢力を受ける。第１傾斜面６２Ａは、交差方向において、第１面４５Ａへ向かうにつれて、第３部分４７から遠ざかるように傾斜する。また、第１傾斜面６２Ａは、カバー８が開位置から閉位置へ移動する移動方向における下流側に向かうにつれて、第１面４５Ａに向かって傾斜する。第１傾斜面６２Ａは、交差方向に対して、第２傾斜面３５Ａ（図１１参照）よりも傾斜する。
【００４６】
より詳しくは、第１傾斜面６２Ａは、移動方向下流側の一端と、移動方向上流側の他端とを有する。交差方向における第１傾斜面６２Ａの一端と第１部分４５の第１面４５Ａとの距離は、交差方向における第１傾斜面６２Ａの他端と第１部分４５の第１面４５Ａとの距離よりも小さい。また、現像カートリッジ２Ｋの第２係合部３５の第２傾斜面３５Ａは、移動方向下流側の一端と、移動方向上流側の他端とを有する。現像カートリッジ２Ｋが本体ケーシング７に装着され、かつ、カバー８が閉位置に位置するときの第２傾斜面３５Ａの一端と第１部分４５との距離は、現像カートリッジ２Ｋが本体ケーシング７に装着され、かつ、カバー８が閉位置に位置するときの第２傾斜面３５Ａの他端と第１部分４５との距離よりも小さい。
【００４７】
４．１．３  本体電気接点
本体電気接点４８は、第１部分４５に支持される。本体電気接点４８は、交差方向において、第１面４５Ａから、２つの突部６０と同じ方向へ向かって突出する。本体電気接点４８は、交差方向において、２つのリブ６６よりも突出する。
【００４８】
４．１．４  複数のボス
複数のボス４９は、軸方向において、コネクタ４３Ｋの外面から突出する。複数のボス４９は、軸方向において、コネクタ４３Ｋの一方側の外面に１つ、コネクタ４３Ｋの他方側の外面に２つ、設けられる。
【００４９】
４．２  ホルダ
ホルダ４４Ｋ，４４Ｙ，４４Ｍ，４４Ｃは、それぞれ、支持するコネクタが異なる以外、同じ構造を有する。そこで、以下の説明において、ホルダ４４Ｋの構造について詳細に説明し、ホルダ４４Ｙ，４４Ｍ，４４Ｃについて、ホルダ４４Ｋと同じ構造についての説明を省略する。ホルダ４４Ｋは、コネクタ４３Ｋを支持する。ホルダ４４Ｋは、カバー８に支持される。詳しくは、カバー８は、複数の開口５０（図６参照）を有する。ホルダ４４Ｋは複数の開口５０の１つに挿入される。これにより、コネクタ４３Ｋは、ホルダ４４Ｋを介して、カバー８に支持される。
【００５０】
ホルダ４４Ｋは、筒部５１と、突出部５３と、複数の長穴５２とを有する。
【００５１】
筒部５１は、移動方向に延びる。筒部５１は、角筒形状を有する。詳しくは、筒部５１は、開口５４を有する。開口５４は、筒部５１を移動方向に貫通する。開口５４内には、コネクタ４３Ｋの第３部分４７が位置する。筒部５１は、カバー８の複数の開口５０（図６参照）のうちの１つに挿通されている。筒部５１は、軸方向および移動方向において、開口５０の内周面との間に間隔を有する。これにより、ホルダ４４Ｋは、カバー８に対して、軸方向および移動方向に移動可能である。
【００５２】
突出部５３は、筒部５１の外周面から、軸方向および移動方向に突出する。突出部５３は、カバー８の開口５０の縁に接触している。これにより、ホルダ４４Ｋは、カバー８に支持される。
【００５３】
複数の長穴５２は、軸方向において、ホルダ４４Ｋの周壁に位置する。複数の長穴５２は、軸方向において、ホルダ４４Ｋの周壁を貫通する。複数の長穴５２は、軸方向において、一方側の周壁に１つ、他方側の周壁に２つ、設けられる。複数の長穴５２は、コネクタ４３Ｋが移動する方向に延びる。複数の長穴５２のそれぞれには、複数のボス４９の１つが嵌まっている。これにより、コネクタ４３Ｋは、ホルダ４４Ｋに対して、移動方向に移動可能である。
【００５４】
４．３  押圧部材
図８に示すように、押圧部材６１Ｋ，６１Ｙ，６１Ｍ，６１Ｃは、それぞれ、同じ構造を有する。そこで、以下の説明において、押圧部材６１Ｋの構造について詳細に説明し、押圧部材６１Ｙ，６１Ｍ，６１Ｃについて、押圧部材６１Ｋと同じ構造についての説明を省略する。
【００５５】
押圧部材６１Ｋは、ホルダ４４Ｋの筒部５１（図７Ａ参照）に、回転可能に支持される。押圧部材６１Ｋは、押圧位置（図１１参照）と、押圧解除位置（図１２参照）との間を移動可能である。押圧部材６１Ｋは、押圧位置に位置するとき、コネクタ４３Ｋを、移動方向へ押圧する。また、押圧部材６１Ｋは、押圧解除位置に位置するとき、コネクタ４３Ｋの第３部分４７から離間し、コネクタ４３Ｋに対する押圧を解除する。
【００５６】
５．コネクタと記憶媒体との接続
以下、図８から図１１を参照して、コネクタとＩＣチップとの接続について説明する。
【００５７】
図８に示すように、カバー８が開位置に位置するときには、押圧部材６１Ｋは、押圧位置に位置する。これにより、コネクタ４３Ｋは、押圧部材６１Ｋによって、カバー８が開位置から閉位置へ移動する方向に押圧されている。
【００５８】
そして、コネクタ４３Ｋは、押圧部材６１Ｋによって押圧された状態で、カバー８の開位置から閉位置への移動に伴って、カバー８とともに移動する。
【００５９】
すると、図９に示すように、コネクタ４３Ｋは、現像カートリッジ２Ｋのギアカバー１３の他端部に接触する。詳しくは、コネクタ４３Ｋの２つの突部６０は、ギアカバー１３の第１外面１３Ａに接触する。なお、このとき、メモリ電気接点４２は、軸方向において、２つの突部６０の間に位置する。また、本体電気接点４８は、交差方向において、メモリ電気接点４２と間隔を隔てている。また、コネクタ４３Ｋの第２部分４６の端部は、現像カートリッジ２Ｋの揺動部材３２の第２係合部３５に接触する。
【００６０】
次いで、図１０に示すように、カバー８が、さらに閉位置へ向かって移動する。このとき、コネクタ４３Ｋの第２部分４６の端部は、カバー８の移動に伴って、揺動部材３２の第２係合部３５を交差方向に押圧する。揺動部材３２は、第２係合部３５によって押圧されることにより、付勢部材３３の付勢力に抗して、ギアカバー１３の開口１３Ｄ内に退避する。そして、カバー８が、さらに閉位置へ向かって移動すると、揺動部材３２の第２係合部３５の頂部が、第２部分４６の第１傾斜面６２Ａに接触する。すると、揺動部材３２の第２係合部３５は、付勢部材３３の付勢力により、第１傾斜面６２Ａを押圧する。これにより、コネクタ４３Ｋは、第２係合部３５が第１傾斜面６２Ａを押圧することにより、カバー８が開位置から閉位置へ移動する移動方向に引っ張られる。
【００６１】
そして、図１１に示すように、コネクタ４３Ｋの第３面４７Ａが、ギアカバー１３の第３外面１３Ｃに接触すると、カバー８が閉位置に位置する。このとき、２つの突部６０は、ギアカバー１３の凹部１３Ｅ内に受け容れられる。すると、コネクタ４３Ｋは、第２係合部３５が第１傾斜面６２Ａを押圧することにより、交差方向に移動する。これにより、本体電気接点４８は、交差方向においてメモリ電気接点４２に近接し、メモリ電気接点４２に接触する。これにより、本体電気接点４８は、メモリ電気接点４２と電気的に接続される。
【００６２】
また、２つのリブ６６（図７Ａ）は、交差方向において第１外面１３Ａ（図３参照）に近接し、第１外面１３Ａに接触する。第２係合部３５の頂部Ｐは、カバー８が開位置から閉位置へ移動する方向において、リブ６６の両端部Ｅの間に位置する。これにより、コネクタ４３Ｋは、第２係合部３５が第１傾斜面６２Ａに接触し、２つのリブ６６が第１外面１３Ａに接触し、第２係合部３５が第１傾斜面６２Ａを押圧することにより、交差方向において、ギアカバー１３の端部に対して位置固定される。
【００６３】
また、カバー８が閉位置に位置した状態で、第２係合部３５は、第１傾斜面６２Ａに接触している。これにより、コネクタ４３Ｋは、第３面４７Ａがギアカバー１３の第３外面１３Ｃに接触した状態で、常に、カバー８が開位置から閉位置へ移動する方向に引っ張られる。これにより、コネクタ４３Ｋは、カバー８が開位置から閉位置へ移動する方向において、ギアカバー１３の他端部に対して位置固定される。
【００６４】
その後、カバー８が閉位置に位置する。
【００６５】
７．現像カートリッジの離間
カバー８が閉位置に位置した後、図１２に示すように、押圧部材６１Ｋは、押圧位置から押圧解除位置へ移動し、コネクタ４３Ｋに対する押圧を解除する。これにより、コネクタ４３Ｋは、移動方向において移動可能となる。その後、画像形成動作の合間など、所定のタイミングで、離間部材３１は、現像カートリッジ２Ｋを、移動方向において、現像ローラ５が感光ドラム６Ｋから離れる方向へ押圧する。
【００６６】
すると、図１３に示すように、現像カートリッジ２Ｋは、離間部材３１により、離間位置に位置される。現像ローラ５は、感光ドラム６Ｋから離間する。このとき、コネクタ４３Ｋは、ギアカバー１３の第３外面１３Ｃによって、現像ローラ５が感光ドラム６Ｋから離間する方向へ押圧される。すると、コネクタ４３Ｋは、移動方向において移動可能であり、かつ、ギアカバー１３の他端部に対して位置固定されていることにより、本体電気接点４８がメモリ電気接点４２に電気的に接続された状態で、現像カートリッジ２Ｋとともに移動する。
【００６７】
８．作用効果
この画像形成装置１によれば、図１１に示すように、コネクタ４３Ｋは、カバー８が閉位置に位置している状態で、現像カートリッジ２Ｋの付勢部材３３によって付勢される第２係合部３５が第１傾斜面６２Ａを押圧することにより、常に、本体電気接点４８とメモリ電気接点４２とが接触する方向に付勢される。そのため、第２係合部３５と第１係合部６２とを、付勢部材３３の付勢力によって確実に係合させるとともに、本体電気接点４８とメモリ電気接点４２とを確実に接触させることができる。
【００６８】
より詳しくは、コネクタ４３Ｋは、第２係合部３５が第１傾斜面６２Ａに接触し、２つのリブ６６が第１外面１３Ａに接触し、第２係合部３５が第１傾斜面６２Ａを押圧することにより、交差方向において、ギアカバー１３の端部に対して位置固定される。その結果、本体電気接点４８がメモリ電気接点４２に電気的に接続された状態で、コネクタ４３Ｋを現像カートリッジ２Ｋとともに移動させることができ、本体電気接点４８とメモリ電気接点４２との摩耗を抑制することができる。
【００６９】
また、カバー８が閉位置に位置した状態で、コネクタ４３Ｋは、第３面４７Ａがギアカバー１３の第３外面１３Ｃに接触している。また、第２係合部３５が第１傾斜面６２Ａを押圧することにより、コネクタ４３Ｋは、常に、カバー８が開位置から閉位置へ移動する方向に引っ張られる。これにより、コネクタ４３Ｋは、カバー８が開位置から閉位置へ移動する方向において、ギアカバー１３の端部に対して位置固定される。その結果、本体電気接点４８がメモリ電気接点４２に電気的に接続された状態で、コネクタ４３Ｋを、確実に、現像カートリッジ２Ｋとともに移動させることができる。
【００７０】
９．変形例
上記した実施形態では、揺動部材３２を付勢部材３３で付勢しているが、例えば、図１４Ａおよび図１４Ｂに示すように、ギアカバー１３の開口１３Ｄ内に、移動方向に延びる板８１を設け、その板８１に、第２係合部を設けることもできる。この場合、板８１は、移動方向の一端がギアカバー１３に連続しており、一端以外の周縁部において、開口１３Ｄの内面に間隔を隔てている。これにより、板８１は、交差方向に弾性的に変形可能である。
【符号の説明】
【００７１】
１        画像形成装置
２Ｃ      現像カートリッジ
２Ｋ      現像カートリッジ
２Ｍ      現像カートリッジ
２Ｙ      現像カートリッジ
７        本体ケーシング
７Ａ      開口
８        カバー
１３Ｅ    凹部
３２      揺動部材
３３      付勢部材
３５      第２係合部
３５Ａ    第２傾斜面
４２      メモリ電気接点
４３Ｃ    コネクタ
４３Ｋ    コネクタ
４３Ｍ    コネクタ
４３Ｙ    コネクタ
４４Ｃ    ホルダ
４４Ｋ    ホルダ
４４Ｍ    ホルダ
４４Ｙ    ホルダ
４５Ａ    第１面
４６Ａ    第２面
４７Ａ    第３面
４８      本体電気接点
４９      ボス
６０      突部
６１Ｃ    押圧部材
６１Ｋ    押圧部材
６１Ｍ    押圧部材
６１Ｙ    押圧部材
６２      第１係合部
６２Ａ    第１傾斜面
【図１】
2017181886.tif 000003
【図２】
2017181886.tif 000004
【図３】
2017181886.tif 000005
【図４】
2017181886.tif 000006
【図５】
2017181886.tif 000007
【図６】
2017181886.tif 000008
【図７】
2017181886.tif 000009
【図８】
2017181886.tif 000010
【図９】
2017181886.tif 000011
【図１０】
2017181886.tif 000012
【図１１】
2017181886.tif 000013
【図１２】
2017181886.tif 000014
【図１３】
2017181886.tif 000015
【図１４】
2017181886.tif 000016